(57)【要約】【課題】コンピュータシステムの電源供給系統の中に、冷却ファンを使用もしなく、ヒートパイプの表面積を増加し、もっと大幅に放熱の効果も増進することを目的とする。【解決手段】コンピュータシステムの通気孔に設置される冷却ファンと、一端が前記コンピュータシステムの該電源供給系統に連接し、別の端が該コンピュータシステムの外に延伸し少なくとも一つの放熱フィンに連接する第１の導管と、を備えてなり、その中前記放熱フィンが前記第１の導管により該通気孔まで延伸し、該電源供給系統の温度は該放熱フィンが該冷却ファンによって吹かれることにより下がることを特徴とするコンピュータシステムの電源供給系統の放熱装置を提出する。【選択図】    図１
2007164553.tif 000002
【特許請求の範囲】
【請求項１】
コンピュータシステムの電源供給系統の放熱装置であって、
前記コンピュータシステムの通気孔に設置される冷却ファンと、
一端が前記コンピュータシステムの該電源供給系統に連接し、別の端が該コンピュータシステムの外に延伸し、少なくとも一つの放熱フィンに連接する第１の導管と、
を備えてなり、その中前記放熱フィンが前記第１の導管により該通気孔まで延伸し、該電源供給系統の温度は該放熱フィンが該冷却ファンによって吹かれることにより下がることを特徴とする放熱装置。
【請求項２】
前記通気孔は更に、前記冷却ファンから吹かれた気体を導き該放熱フィンに集める第２の導管に連接する請求項１に記載の放熱装置。
【請求項３】
コンピュータシステムの電源供給系統であって、
電源供給本体と、
一端が前記電源供給本体に連接し、別の端が該コンピュータシステムの外に延伸する第１の導管と、
前記第１の導管のその別の端に連接する少なくとも一つの放熱フィンと、
を備える冷却ファンなしの電源供給系統。
【請求項４】
前記コンピュータシステムは更に前記放熱フィンと共に作用することにより該電源供給系統の温度を下げる放熱装置を有し、該放熱フィンは該放熱装置と連接している請求項３に記載の冷却ファンなしの電源供給系統。
【請求項５】
冷却ファンなしの電源供給系統の放熱方法であって、
前記冷却ファンなしの電源供給系統が放熱装置を有するコンピュータシステムに設置してあり、該放熱方法は電源供給系統から発生した熱を排出するように実施され、
前記冷却ファンなしの電源供給系統から延伸し、前記コンピュータシステムの外に突出した第１の導管を提供するステップと、
前記第１の導管に放熱フィンを設置するステップと、
前記放熱フィンと前記コンピュータシステムの該放熱装置を連接するステップと、
を備えてなる放熱方法。
【請求項６】
前記放熱フィンと前記放熱装置は第２の導管で連接される請求項４に記載の冷却ファンなしの電源供給系統又は請求項５に記載の冷却ファンなしの電源供給系統の放熱方法。
【発明の詳細な説明】
【技術分野】
【０００１】
本発明は、電源供給系統を冷却することに係り、特に冷却ファンなしの電源供給系統とその放熱装置および放熱方法に関する。
【背景技術】
【０００２】
電子設備は、電源供給系統が配置される。その電源供給系統は大分設備の中に整合され、あるいは整流変圧器のプラグの形式に整合される。例えば、電気スタンードに配置される電源供給系統は、この形式に属すると言える。
【発明の開示】
【発明が解決しようとする課題】
【０００３】
しかし、コンピュータ設備に対しては、こんなに簡単な配置方法で処理することができない。コンピュータ設備に配置される多くの装置、たとえ中央処理装置、マザーボード、フロッピー（登録商標）ディスク、レザーデスク器、ハ-ドディスク、及び各種のサウンドカードとグラフィックカードなどにとって、その供電状態の模式は様々にあるので、普通の設備で穏やかな供電状態を維持することもできない。したがって、多方の供電することができる統合化の電源供給系統が配置される必要はある。
【０００４】
電源供給系統は整流や変圧の機能があるため、それらの機能からの熱は甚だしく発生する。この熱が電源供給系統に蓄積して続けたら、系統の中の素子を破壊することになりかねない。この現象を避けるように、装置の中に放熱装置を設置しなければならない。目下のところ、もっとも普遍的に応用されるのは冷却ファンだと言える。この冷却ファンをもって熱い空気を電源供給系統から排出できる。
【０００５】
しかし、時代の進歩につれて、人々はもっとよい生活の品質を追求してくる。冷却ファンの引き起した雑音も我慢できないようになってくる。その雑音の問題を解決するために、空気動力学の方面から冷却ファンの外形を改良する技術が提出されたが、その雑音を完全に消せるとは言えない。
【０００６】
一方、一種の冷却ファンなしの電源供給系統も提出され、その特徴は冷却ファンのかわりにいわゆるヒートパイプを使用し、その熱い空気を電源供給装置の外に引導するものだ。その効果は冷却ファンも使用する必要もなく、冷却ファンの雑音に苦しむこともなくなる。
【０００７】
冷却ファンの必要はないが、放熱の効率はあまりよくない。その理由は、熱が電源供給系統の外に導かれた時、ただヒートパイプの周りの空気を加熱し発生した対流気体で放熱されるのみである。そのほか、冷却ファンを加えたら放熱効率の増加に役立たない。
【０００８】
それで、今のところのコンピュータシステム向けに、冷却ファンを使用することなしにもっと放熱する効果を増進できる放熱装置が設置してある電源供給系統が提出される必要はある。
【０００９】
本発明は、冷却ファンなしの電源供給系統を提出する。コンピュータシステムの中に、冷却ファンを使用もしなく、もっと大幅に放熱の効果も増進できることを目的とする。
【課題を解決するための手段】
【００１０】
上記目的を達成するための本発明に係る放熱装置は、コンピュータシステムの通気孔に設置される冷却ファンと、一端が前記コンピュータシステムの該電源供給系統に連接し、別の端が該コンピュータシステムの外に延伸し少なくとも一つの放熱フィンに連接する第１の導管と、を備えてなり、その中前記放熱フィンが前記第１の導管により該通気孔まで延伸し、該電源供給系統の温度は該放熱フィンが該冷却ファンによって吹かれることにより下がることを特徴とするコンピュータシステムの電源供給系統の放熱装置である。
【００１１】
前記の通気孔は更に、前記冷却ファンから吹かれた気体を導き、該放熱フィンに集める第２の導管に連接する。
【００１２】
前記目的を達成するための本発明に係る電源供給系統は電源供給本体と、一端が前記電源供給本体に連接し、別の端が該コンピュータシステムの外に延伸する第１の導管と、前記第１の導管のその別の端に連接する少なくとも一つの放熱フィンと、を備えるコンピュータシステムの電源供給系統である。
【００１３】
前記電源供給本体は前記コンピュータシステムのケースに設置され、前記コンピュータシステムは更に前記放熱フィンと共に作用することにより該電源供給系統の温度を下げる放熱装置を有し、該放熱フィンは該放熱装置と連接している。
【００１４】
上記目的を達成するための本発明に係る冷却ファンなしの電源供給系統の放熱方法であって、前記冷却ファンなしの電源供給系統が放熱装置を有するコンピュータシステムに設置してあり、該放熱方法は電源供給系統から発生した熱を排出するように実施される。該放熱方法は、前記冷却ファンなしの電源供給系統から延伸し前記コンピュータシステムの外に突出した第１の導管を提供するステップと、前記第１の導管に放熱フィンを設置するステップと、前記放熱フィンと前記コンピュータシステムの該放熱装置を連接するステップと、を備えてなる。
【００１５】
前記の放熱フィンと前記放熱装置は第２の導管で連接される。
【発明の効果】
【００１６】
以上のように構成されたこの発明は次のような優れた効果を有している。
【００１７】
コンピュータシステムの電源供給系統の中に、冷却ファンを使用もしなく、ヒートパイプの表面積を増加し、もっと大幅に放熱の効果も増進できる効果がある。
【発明を実施するための最良の形態】
【００１８】
以下、本発明の実施の形態について、図面を参照しながら説明する。
【００１９】
図1はコンピュータシステムに応用する本発明を表示した図示である。図1を通してコンピュータシステム１の内部を見通すことができる。コンピュータシステム１にはコンピュータのケース１０が含まれる。コンピュータのケース１０の内にはディスクアレイ１２、マザーボード１４及び電源供給系統２が含まれる。そのコンピュータのケース１０には一つの通気孔１８が設置してある。コンピュータのケース１０に更に一つ冷却ファン１６が設置してある。冷却ファン１６ではコンピュータのケース１０の内から発生した熱をコンピュータのケース１０の外に排出することができる。
【００２０】
図１において、本発明の技術の特徴は電源供給系統２についての部分を指すことである。電源供給系統２は冷却ファンなしの電源供給系統を指し、即ち冷却ファンで空気を駆動させる強制対流によらず、ヒートパイプ３をもって熱を電源供給系統２の外に排出する電源供給系統である。
【００２１】
また、電源供給系統２は内部にある電子素子（図に表示されず）を保護するケース２０を有する。ヒートパイプ３が二つの部分に分けてある。第1部分３０は電源供給系統２から発生した熱を受けるために電源供給系統のケース２０に設置されている。第２部分３２はその熱を電源供給系統２から排出するために、第1部分３０から延伸し電源供給系統のケース２０を突出し設置されている。
【００２２】
しかし、この構造だけで放熱の効率をあまり良く増加できない。それ故に、本発明はヒートパイプ３の第２部分３２をもっと延伸させる。即ち、第２部分３２の長さを増加し冷却ファン１６の方向に向いて延伸させる技術を提出した。したがって、冷却ファン１６の気流をもってヒートパイプ３に助けて熱を排出するのもさることながら、ヒートパイプ３の長さが伸ばしたため、表面積も大幅に増加できる。だから、放熱の効率は良く増加したようになる。そして、その第２部分３２は冷却ファン１６の付近に延伸し冷却ファン１６からの強制対流に吹かれるから、放熱の効率はもっと良くなる。
【００２３】
図２はコンピュータシステムに応用する本発明を表示した背面図である。図２を通じてヒートパイプ３の第２部分３２と冷却ファン１６との、通気孔１８との相対位置を一層に見分けることができる。コンピュータシステム１の後方から見ると、電源供給系統２は電源供給系統のケース２０の最上層に位置し、冷却ファン１６は電源供給系統のケース２０の中層に位置する。それから第２部分３２は冷却ファン１６の吹く気流が接触できるところに設置された。ただ、従来の技術のように電源供給系統のケース２０まで延伸するのみならず、下に曲がって通気孔１８の前に延伸して冷却ファン１６がヒートパイプ３の第２部分３２まで吹かれる程度に達する。だから、冷却ファン１６はヒートパイプ３に助けて電源供給系統２の熱を排出できる。また、放熱の効率をもっと良くなるために、本発明は第２部分３２の上に更に放熱フィン３４を設置してもよい。その放熱フィン３４をもってヒートパイプ３（の第２部分３２）の表面積を増加し、放熱の効率は故に一層なレベルに達する。
【００２４】
もちろん、今の市場に販売されるコンピュータシステム、特にパソナルコンピュータシステムにおいて、ケースの内部の素子配置は色々あると言える。電源供給系統と冷却ファンとの相対位置が図２の実施形態の配置とは違うこともあるけれども、電源供給系統のヒートパイプを延伸して冷却ファンの吹かれるところに達する技術こそが本発明の特徴である。すると、電源供給系統と冷却ファンとの相対配置は上下配置も左右配置も本発明のヒートパイプ３の第２部分３２を延伸する技術に適用すると言うまでもない。
【００２５】
一方、方法の発明の場合からして、本発明は冷却ファンなしの電源供給系統のヒートパイプを系統の冷却ファンに吹かれるように適応に設置し、システムの冷却ファンの吹く気流でヒートパイプに助けて電源供給系統の熱を排出できる方法を提供できる。
【００２６】
本発明は冷却ファン１６により放熱できるのは冷却ファン１６から排出された気流の温度が高くないからである。その気流は主に中央処理装置やグラフィックカードなどから排出された空気を含む。電源供給系統からの発生した熱より、その両者からの発生した熱は相対的にずっと小さいと言える。だから、冷却ファン１６をヒートパイプ３の第２部分３２に吹かせても熱が電源供給系統２に伝送されるはずはない。つまり、第２部分３２の温度が冷却ファン１６からの空気の温度より高くて熱力学法則によると、第２部分３２は依然に熱をその周りの空気まで伝送し、そして冷却ファン１６の強制対流をもって放熱の効率を増進することができる。
【００２７】
放熱の効率をもっと増進するために、本発明は更に他の実施形態を提出した。図３は本発明を局部的に図示した実施形態である。その中、ヒートパイプ３の第２部分３２に少なくとも一つの放熱フィン３４を設置し、ヒートパイプ３の第２部分３２の表面積を増加する目的に達する。そうしたら、第２部分３２と空気と接触した面積も広くなるし、散失した熱も大量に増加してゆく。
【００２８】
放熱の効率を一層に増進するために、本発明は他の実施形態を提出した。図４は本発明を図示した他の実施形態である。その中、ヒートパイプ３の第２部分３２に一つの風導管３６を設置し、冷却ファン１６からの気流を通気孔１８を通させ、そして第２部分３２に集中し吹かせる目的に達する。言うまでもなく、図４の実施形態は図２の放熱フィン３４と組み合うこともでき一層の効果に達する。
【００２９】
本発明のアイデアは主としてシステムの冷却ファンからの気流をもって冷却ファンなしの電源供給系統に助けて放熱することである。以上のように、いわゆる冷却ファンなしの電源供給系統２は大分ヒートパイプ３により熱を電源供給系統２の外に排出する。本発明はヒートパイプ３の第２部分３２を延伸して冷却ファン１６の吹かれるところに達させる技術である。が、発明の変形例として、冷却ファン１６の気流を引導しヒートパイプ３の第２部分３２に吹けるところに達させる技術でもある。図５は本発明を図示したこの変形例である。図５に示すように、通気孔１８には入口３８ａと出口３８ｂを有する気流導管３８が設置してある。入口３８ａは冷却ファン１６の方向に向いて、出口３８ｂは電源供給系統２の放熱フィン３２‘に向く。その放熱フィン３２‘はヒートパイプ３第１部分３０から延伸してファンの形に変形した。この気流導管３８の作用は冷却ファン１６の気流を冷却ファンなしの電源供給系統に設置された放熱フィン３２‘に引導させるのである。すると、放熱の効率は一層に増進された。
【００３０】
図６は本発明を図示した他の実施形態である。本発明の構想を順調に本来の各種の電源供給系統に応用するために、その電源供給系統２に更に付加式気流導管３８を一つ設置してもよい。図６に示すように、付加式気流導管３８は入口３８ａと出口３８ｂを有する。入口３８ａは通気孔１８の方向に向いてその付加式気流導管３８に放熱フィン３２‘をカバーさせた。そうしたら、冷却ファン１６からの気流が付加式気流導管３８による導流効応をもって自然に放熱フィン３２‘まで吹くことができ、冷却ファン１６を冷却ファンなしの電源供給系統２のヒートパイプ（放熱フィン３２‘又は図１の第２部分３２）に吹かせる技術特徴を実施することができる。その上、ヒートパイプ３の第２部分３２の変形例として、放熱フィン３２‘はただ管状構造から扁平な中空の構造だけに変えてあった。
【００３１】
図１〜図４の実施形態に示すようにヒートパイプ３を延伸し曲がって冷却ファン１６の吹かれるところまでの程度に達させる技術も、または図５〜図６の実施形態に示すように（付加式）気流導管３８で冷却ファン１６の吹かれた気流を転向させてヒートパイプ３に達させる技術も、本発明のシステムの冷却ファンにより気流をヒートパイプに吹かせて冷却ファンなしの電源供給系統の放熱効果を増進する技術特徴の範囲にも属する。
【図面の簡単な説明】
【００３２】
【図１】コンピュータシステムに応用する本発明を表示した図示である。
【図２】コンピュータシステムに応用する本発明を表示した背面図である。
【図３】本発明を局部的に図示した実施形態である。
【図４】本発明を図示した他の実施形態である。
【図５】本発明を図示した他の実施形態である。
【図６】本発明を図示した他の実施形態である。
【符号の説明】
【００３３】
１      コンピュータシステム
１０      コンピュータのケース
１２      ディスクアレイ
１４      マザーボード
１６      冷却ファン
１８      通気孔
２      電源供給系統
２０      電源供給系統のケース
３      ヒートパイプ
３０      第１部分
３２      第２部分
３２‘    放熱フィン
３４      フィン
３６      風導管
３８      気流導管
３８ａ    入口
３８ｂ    出口
【図１】
2007164553.tif 000003
【図２】
2007164553.tif 000004
【図３】
2007164553.tif 000005
【図４】
2007164553.tif 000006
【図５】
2007164553.tif 000007
【図６】
2007164553.tif 000008